(57)【要約】【課題】複数のスピーカを設けた場合にも、音質を悪化させることなく複数のスピーカから音声を出力する。【解決手段】ギターアンプ２は、スピーカボックス３、ＣＤプレーヤ、プレーヤケース５、センタースピーカ６、レフトスピーカ７、ライトスピーカ８を備える。センタースピーカ６は、外部から入力された音声信号を出力する。レフトスピーカ７及びライトスピーカ８は、ＣＤプレーヤ４で再生した楽曲信号を出力する。スピーカボックス３は、前面板１１、後面板１２、左側面板１３、右側面板、天面板１５、底面板１６を備え、同一の空間に、各スピーカ６〜８を収容する。後面板１２により、各スピーカ６〜８の後面側を遮蔽する。前面板１１に、低音域調整孔１１ｄを形成する。前面板１１に、低音域調整孔１１ｄに連通するポート１９を取り付ける。【選択図】図４
2008236406.tif 000002
【特許請求の範囲】
【請求項１】
外部からの音声信号が入力される入力部と、前記入力部に入力された音声信号を増幅するアンプ部と、前記アンプ部で増幅された音声信号を出力するアンプスピーカと、を備えた音声出力アンプにおいて、
楽曲データを再生する楽曲再生装置と、
前記楽曲再生装置で再生された楽曲データを出力する楽曲スピーカと、
前記アンプスピーカ及び楽曲スピーカを同一の空間に収容するスピーカボックスと、を備えたことを特徴とする音声出力アンプ。
【請求項２】
前記スピーカボックスは、前記アンプスピーカ及び前記楽曲スピーカの後面側を遮蔽することを特徴とする請求項１記載の音声出力アンプ。
【請求項３】
前記スピーカボックスに設けられ、前記楽曲スピーカから出力される低音域の出力を調整する低音域調整孔を備えたことを特徴とする請求項１または２記載の音声出力アンプ。
【請求項４】
前記スピーカボックスに設けられ、前記低音域調整孔に連通して前記楽曲スピーカから出力される低音域の出力を調整する筒状の出力調整部を備えたことを特徴とする請求項３記載の音声出力アンプ。
【請求項５】
前記楽曲スピーカを複数設け、
前記楽曲スピーカを、前記アンプスピーカの左右それぞれに配したことを特徴とする請求項１ないし４いずれか１つ記載の音声出力アンプ。
【請求項６】
前記入力部に入力された音声信号をエフェクトするエフェクターと、
前記エフェクターによりエフェクトされたエフェクト音声信号を、前記アンプスピーカ及び楽曲スピーカの少なくともいずれかから出力させるように制御する制御部と、を備えたことを特徴とする請求項１ないし５いずれか１つ記載の音声出力アンプ。
【請求項７】
前記スピーカボックスの上面に取り付けられ、前記楽曲再生装置を収容するケースを備えたことを特徴とする請求項１ないし６いずれか１つ記載の音声出力アンプ。
【請求項８】
前記スピーカボックスの内部に、電源ユニットを配したことを特徴とする請求項１ないし７いずれか１つ記載の音声出力アンプ。
【請求項９】
前記スピーカボックスの左右いずれかの側面に、把手を設けたことを特徴とする請求項１ないし８いずれか１つ記載の音声出力アンプ。
【発明の詳細な説明】
【技術分野】
【０００１】
本発明は、外部から入力された音声信号を増幅してスピーカから出力する音声出力アンプに関するものである。
【背景技術】
【０００２】
音声出力アンプとしてのギターアンプは、ギターを演奏して得られた音声信号を増幅してスピーカから出力するものであり、音声信号を増幅するアンプ装置と、アンプ装置で増幅された音声信号を出力するスピーカとを備える。ギターとギターアンプとを接続ケーブルで接続すると、ギターを演奏して得られた音声信号は、増幅されてスピーカから出力される。
【０００３】
ギターを演奏する演奏者は、練習するときに、練習楽曲を再生しながら練習することが多く、この場合には、練習楽曲を再生する楽曲再生装置（例えば、ＣＤプレーヤ等）を用意していた。しかしながら、ギターアンプの他にＣＤプレーヤを用意することは、手間が掛かり面倒であり、これを解消するために、楽曲再生装置を設けたギターアンプが提案されている（例えば、特許文献１参照）。
【０００４】
また、特許文献２では、楽音信号に効果を付与したエフェクト音の高音域成分の音を放音する２個の高音域用スピーカと、効果を付与する前のダイレクトとエフェクト音の低音域成分の音と加算して加算した音を放音する加算音用スピーカとを設け、高音域用スピーカを、加算音用スピーカの左右それぞれに配した効果装置が提案されている。
【特許文献１】特開平７−２３９６８３号公報
【特許文献２】登録実用新案第３００７１０６号公報
【発明の開示】
【発明が解決しようとする課題】
【０００５】
しかしながら、特許文献２では、スピーカボックスの形状の具体的な記載がなく、また、放音する音の音域が異なる２種類のスピーカを１個のスピーカボックス内部に設けた場合には、どちらかのスピーカの放音性能が悪化してしまい、そのスピーカから放音される音の音質が悪化するという問題があった。
【０００６】
本発明は、上記課題を解決するためになされたものであり、複数のスピーカを設けた場合にも、音質を悪化させることなく複数のスピーカから音声を出力することができる音声出力アンプを提供することを目的とする。
【課題を解決するための手段】
【０００７】
上記目的を達成するために、本発明の音声出力アンプは、外部からの音声信号が入力される入力部と；前記入力部に入力された音声信号を増幅するアンプ部と；前記アンプ部で増幅された音声信号を出力するアンプスピーカと；を備えた音声出力アンプにおいて、楽曲データを再生する楽曲再生装置と；前記楽曲再生装置で再生された楽曲データを出力する楽曲スピーカと；前記アンプスピーカ及び楽曲スピーカを同一の空間に収容するスピーカボックスと；を備えたことを特徴とする。
【０００８】
なお、本発明の音声出力アンプとしては、ギターアンプ、シンセサイザーアンプ、キーボードアンプ等が上げられる。また、前記楽曲再生装置としては、ＣＤプレーヤ、ＭＤプレーヤ、カセットデッキ、ＭＰ３プレーヤ等が挙げられる。さらに、前記スピーカボックスを構成する素材としては、ＭＤＦ（Ｍｅｄｉｕｍ  Ｄｅｎｓｉｔｙ  Ｆｉｂｅｒｂｏａｒｄ）、単板、合板、樹脂、金属等が挙げられる。また、前記スピーカボックスとしては、四角体、三角体、円柱体、球体等が挙げられる。
【０００９】
また、前記スピーカボックスは、前記アンプスピーカ及び前記楽曲スピーカの後面側を遮蔽することが好ましい。
【００１０】
さらに、前記スピーカボックスに設けられ、前記楽曲スピーカから出力される低音域の出力を調整する低音域調整孔を備えることが好ましい。
【００１１】
また、前記スピーカボックスに設けられ、前記低音域調整孔に連通して前記楽曲スピーカから出力される低音域の出力を調整する筒状の出力調整部を備えることが好ましい。なお、前記出力調整部を、前記スピーカボックスの前壁の内面であって、前記低音域調整孔の近傍に設けることが好ましい。また、前記出力調整部は、前記スピーカボックスとは別部材として設けてもよく、前記スピーカボックスに一体的に形成するようにしてもよい。
【００１２】
さらに、前記楽曲スピーカを複数設け、前記楽曲スピーカを、前記アンプスピーカの左右それぞれに配することが好ましい。なお、前記楽曲スピーカの数量に応じて、前記低音域調整孔の数量も適宜変更可能とされるものである。
【００１３】
また、前記入力部に入力された音声信号をエフェクトするエフェクターと；前記エフェクターによりエフェクトされたエフェクト音声信号を、前記アンプスピーカ及び楽曲スピーカの少なくともいずれかから出力させるように制御する制御部と；を備えることが好ましい。
【００１４】
さらに、前記スピーカボックスの上面に取り付けられ、前記楽曲再生装置を収容するケースを備えることが好ましい。また、前記スピーカボックスの内部に、電源ユニットを配することが好ましい。さらに、前記スピーカボックスの左右いずれかの側面に、把手を設けることが好ましい。
【発明の効果】
【００１５】
本発明の音声出力アンプによれば、アンプスピーカ及び楽曲スピーカを、スピーカボックス内の同一の空間に収容するから、アンプスピーカ及び楽曲スピーカそれぞれに１個ずつのスピーカボックスを設けるものに比べて、スピーカボックスの小型化及びコストダウンを図ることができる。
【００１６】
また、スピーカボックスは、アンプスピーカの後面側を遮蔽するから、アンプスピーカの後面側を開放しているものに比べて、アンプスピーカから出力される音声の低音域出力性能を向上させることができる。
【００１７】
さらに、スピーカボックスに低音域調整孔を設けたから、楽曲スピーカから出力される音声の低音域出力性能の悪化を防止することができる。
【００１８】
また、低音域調整孔に、楽曲スピーカから出力される低音域の出力調整をする筒状の出力調整部を連通させたから、より一層確実に、楽曲スピーカから出力される音声の低音域出力性能の悪化を防止することができる。
【発明を実施するための最良の形態】
【００１９】
図１及び図２に示すように、本発明を実施したギターアンプ２は、スピーカボックス３、ＣＤプレーヤ（楽曲再生装置）４（図６参照）、プレーヤケース５、センタースピーカ（アンプスピーカ）６、レフトスピーカ（楽曲スピーカ）７、ライトスピーカ（楽曲スピーカ）８を備える。
【００２０】
図１〜図４に示すように、スピーカボックス３は、前面板１１、後面板１２、左側面板１３、右側面板１４、天面板１５、底面板１６を備え、各板１１〜１６により覆われた同一の空間に各スピーカ６〜８を収容する。前面板１１、後面板１２は、底面板１６の上面に取り付けられ、左側面板１３及び右側面板１４は、底面板１６の側面に取り付けられている。天面１５は、左側面板１３と右側面板１４との間に取り付けられている。各板１１〜１６は、ＭＤＦから構成されており、外観性能を向上させるために、化粧シートが貼り付けられている。各板１１〜１５は、ビス（図示せず）により取り付けられている。なお、スピーカボックス３の内部には、スピーカボックス３の強度を上げるための補強板（図示せず）が取り付けられている。
【００２１】
センタースピーカ６は、外部から入力されて増幅された音声信号を出力するものであり、ビス（図示せず）により、前面板１１の内面に取り付けられている。レフトスピーカ７及びライトスピーカ８は、ＣＤプレーヤ４で再生した楽曲データの楽曲信号を出力するものであり、レフトスピーカ７は前面板１１の内面であってセンタースピーカ６の左方に、ライトスピーカ８は前面板１１の内面であってセンタースピーカ６の右方に、それぞれビス（図示せず）により取り付けられている。各スピーカ６〜８の後面側は、後面板１２により遮蔽されている。
【００２２】
左側面板１３及び右側面板１４のそれぞれの四隅には、ギターアンプ２を保護するためのプロテクター１７が取り付けられている。ギターアンプ２が倒れたときには、プロテクター１７が設置面に当たるため、各板１１〜１４が傷つくことがない。なお、図２においては、図面の乱雑を避けるため、８個のプロテクター１７のうち４個のみを図示し、他の４個の図示を省略している。
【００２３】
前面板１１には、センタースピーカ６から出力された音声をスピーカボックス３の前面側に向けて出力するためのセンター出力開口１１ａと、レフトスピーカ７から出力された音声をスピーカボックス３の前面側に向けて出力するためのレフト出力開口１１ｂと、ライトスピーカ８から出力された音声をスピーカボックス３の前面側に向けて出力するためのライト出力開口１１ｃとが形成されている。前面板１１の各出力開口１１ｂ，１１ｃの下方には、各スピーカ７，８から出力される低音域の出力を調整する（低音出力性能の悪化を防止する）ための円形状の低音域調整孔１１ｄが形成されている。なお、低音域調整孔１１ｄの形状は、円形に限定されることなく、適宜変更可能である。また、低音域調整孔１１ｄを形成する板は、前面板１１に限定されることなく、後面板１２、左側面板１３、右側面板１４、底面板１６に設けるようにしてもよい。前面板１１には、スピーカネット１８が着脱自在に取り付けられている。
【００２４】
各板１２〜１６には、取り付け用のビス挿通孔等は形成されているが、各開口１１ａ〜１１ｄのような大きいサイズの孔は形成されていない。スピーカボックス３の内部には、電源ユニット２７（図３参照）が配されており、電源ユニット２７は、後面板１２の内面に取り付けられている。
【００２５】
図３及び図４に示すように、前面板１１には、各スピーカ７，８から出力される低音域の出力を調整する円筒状のポート（出力調整部）１９が取り付けられている。ポート１９は、２個設けられており、それぞれ低音域調整孔１１ｄに連通するように取り付けられている。ポート１９の長さは、スピーカボックス３の内部の容積、各スピーカ７，８の出力ワット数等に応じて適宜変更可能とされるものである。なお、ポート１９の形状は適宜変更可能であり、例えば、四角筒状に形成してもよい。
【００２６】
天面板１５の上面であって、左側面板１３と右側面板１４との間には、ＣＤプレーヤ４を収容するプレーヤケース５が取り付けられている。ＣＤプレーヤ４は、公知のものであり、その詳細な説明は省略するが、ＣＤ２０が載せられるトレイ２１、ＣＤ２０の記録面にアクセスする光ピックアップ、ＣＤ２０を回転させるスピンドルモータ等を有する。なお、ＣＤプレーヤ４は、ＣＤ−Ｒ／ＲＷ等の記録媒体に音声信号を記録することができる録音機能を有するものであってもよい。
【００２７】
プレーヤケース５は、金属により構成されており、プレーヤケース５の内部には、ギターアンプ２の駆動を制御する制御基板２２（図６参照）が収容されている。なお、プレーヤケース５を構成する素材は適宜変更可能であり、例えば、樹脂により構成するようにしてもよい。
【００２８】
プレーヤケース５の上面には、トレイ２１を露呈する露呈孔５ａが形成されている。プレーヤケース５には、露呈孔５ａからトレイ２１を露呈する露呈位置（図４参照）と遮蔽する遮蔽位置（図３参照）との間で回転自在なプレーヤカバー２３が取り付けられている。プレーヤカバー２３は、プレーヤケース５の内部に設けられたギア等を有する公知の回転機構により、回転軸２３ａを中心に回転自在に取り付けられており、バネ（図示せず）により、露呈位置に向けて付勢されている。プレーヤケース５には、プレーヤカバー２３を露呈位置から遮蔽位置まで回転させたときにロックし、遮蔽位置に位置するプレーヤカバー２３の前側部を更に下方に押下すると上記ロックを解除する公知のプッシュロック機構が設けられている。
【００２９】
プレーヤカバー２３が遮蔽位置に位置する状態から、ＣＤ２０をＣＤプレーヤ４で再生する場合には、先ず、プレーヤカバー２３の前側部を押下してプレーヤカバー２３のロックを解除する。ロックが解除されると、プレーヤカバー２３はバネの付勢により露呈位置まで回転する。そして、ＣＤ２０をトレイ２１に載せた後、プレーヤカバー２３を回転させて遮蔽位置にロックさせる。この状態で、再生キー３５（図５参照）を操作してＣＤ２０を再生させる。
【００３０】
図１及び図２に示すように、右側面板１４の外面には、ギターアンプ２を持ち運ぶときの把手２４が、ビス（図示せず）により取り付けられている。使用者は、把手２４のベルト２４ａを持ってギターアンプ２を持ち運ぶ。なお、把手２４を、左側面板１３の外面に設けるようにしてもよい。
【００３１】
図３及び図４に示すように、底面板１６の下面の四隅には、天面板１５を上にしてギターアンプ２を置くときの支持部となる支持部材２５が、ビス（図示せず）により取り付けられている。天面板１５を上にしてギターアンプ２を置いたときには、支持部材２５によりギターアンプ２は支持され、底面板１６が設置面に接触することがない。
【００３２】
スピーカボックス３の内部には、電源及び放熱用のヒートシンクを有する電源ユニット２７が配されており、電源ユニット２７は、ビス（図示せず）により、後面板１２の内面に取り付けられている。なお、図４においては、図面の乱雑を避けるため、電源ユニット２７の図示を省略している。
【００３３】
図１に示すように、プレーヤケース５の前面には、ギター３０（図６参照）からの音声信号が入力される入力端子３１、電源のオン／オフを行う電源スイッチ３２が設けられている。また、プレーヤケース５の前面には、入力端子３１及び電源スイッチ３２の他に、入力ゲインを調整するゲインつまみ、歪み回路のオン／オフを行うブーストスイッチ、ブーストオン時に点灯するＬＥＤ、低音域を調整するＢＡＳＳつまみ、中音域を調整するＭＩＤＤＬＥつまみ、高音域を調整するＴＲＥＢＬＥつまみ、リバーブ信号の出力レベルを調整するリバーブつまみ、センタースピーカ６の音量を調整するセンターボリュームつまみ、各スピーカ７，８の音量を調整するサイドボリュームつまみ、外部機器（シンセサイザー、ギタープリアンプ、ＭＤプレーヤ等）を接続するラインイン端子、ステレオヘッドホンを接続するホン端子が設けられている。
【００３４】
本実施形態では、プレーヤケース５の前面に設けられた上記スイッチ及びつまみを、プレーヤケース５の前面に設けられた操作部材と称する。電源スイッチ３２及びプレーヤケース５の前面に設けられた操作部材を操作すると、制御基板２２（図６参照）に、操作に応じた操作信号が入力され、入力された操作信号に応じて、ギターアンプ２が制御される。なお、入力端子３１、電源スイッチ３２及びプレーヤケース５の前面に設けられた操作部材よりも、プロテクター１７の方が前面側に突出するようにされており、ギターアンプ２が前方に倒れたときにも、プロテクター１７が設置面に当たるため、入力端子３１、電源スイッチ３２及びプレーヤケース５の前面に設けられた操作部材が壊れることがない。
【００３５】
図５に示すように、プレーヤケース５の上面のプレーヤカバー２３の右方には、ギターアンプ２及びＣＤプレーヤ４を操作するための操作パネル３４が設けられている。操作パネル３４には、ＣＤプレーヤ４によるＣＤ２０の再生を行う再生キー３５、ＣＤ２０の再生をストップするストップキー３６、再生するトラックを早送り方向にスキップする早送りスキップキー３７、再生するトラックを巻き戻し方向にスキップする巻き戻しスキップキー３８、ＣＤ２０の再生状態及びギターアンプ２の設定状態を表示するＬＣＤ３９が設けられている。また、操作パネル３４には、各キー３５〜３８及びＬＣＤ３９の他に、ＣＤ２０のループ再生を行うためのループキー、チューナーモードのオン／オフを行うチューナーキー、各種設定項目の設定を変更するためのＥＤＩＴキー、各スピーカ７，８から出力する音声からギター３０の音をキャンセルするギターキャンセルキー等が設けられている。なお、ＣＤプレーヤ４が録音機能を有するＣＤレコーダである場合には、録音を開始する録音キーも設けられる。
【００３６】
ギターアンプ２には、８種類のエフェクター（Ｆｌａｎｇｅｒ、Ｐｈａｓｅｒ、Ｃｈｏｒｕｓ、Ｔｒｅｍｏｌｏ、Ａｕｔｏ  Ｗａｈ、Ｐｉｔｃｈ  Ｓｈｉｆｔｅｒ、Ｄｅｌａｙ、Ｐａｎｎｉｎｇ  Ｄｅｌａｙ）が内蔵されており、使用者は、入力された信号（ギター音声信号）にエフェクトを行うエフェクターを、８種類の中から１つ選択する。なお、エフェクターの種類及び数量は、適宜変更可能である。
【００３７】
操作パネル３４には、８種類のエフェクターの中から使用するエフェクターを選択するエフェクト選択キー４１が設けられている。エフェクト選択キー４１の右方には、選択されたエフェクターでエフェクトされたエフェクト音声信号を、センタースピーカ６から出力させるか、各スピーカ７，８から出力させるか、各スピーカ６〜８の全てから出力させるかを選択するアウトプット選択キー４２が設けられている。エフェクト選択キー４１の左方には、８個のＬＥＤが設けられており、８個のＬＥＤの右方には、８種類のエフェクターの名称が１種類ずつプリントされている。８個のＬＥＤのうちの１つが点灯するようにされており、エフェクト選択キー４１を操作すると、点灯するＬＥＤが変わる。点灯するＬＥＤの右方にプリントされたエフェクターが、使用するエフェクターとして選択される。
【００３８】
操作パネル３４には、選択されたエフェクターのパラメータを設定するパラメータつまみ４３、選択されたエフェクターの効果量やフィードバックレベルを設定するレベルつまみ４４が設けられている。パラメータつまみ４３は２個設けられており、それぞれ異なるパラメータを設定する。
【００３９】
本実施形態では、操作パネル３４に設けられた上記キーを、プレーヤケース５の上面に設けられた操作部材と称する。各キー３５〜３８，４１，４２、各つまみ４３，４４及びプレーヤケース５の上面に設けられた操作部材を操作すると、制御基板２２（図６参照）に、操作に応じた操作信号が入力され、入力された操作信号に応じて、ギターアンプ２が制御される。
【００４０】
図６に示すように、ギター３０から入力端子３１に入力された音声信号は、ギターアンプ２の内部に設けられたアンプ５１に出力される。アンプ５１は、入力された音声信号を増幅し、増幅したアナログ音声信号を、メインパワーアンプ５２とＡＤＣ（Ａｎａｌｏｇ  Ｄｉｇｉｔａｌ  Ｃｏｎｖｅｒｔｅｒ）５３とに出力する。メインパワーアンプ５２は、入力されたエフェクトされていないアナログ音声信号（以下、ドライ音声信号と称する）をセンタースピーカ６に出力し、センタースピーカ６から出力させる。
【００４１】
ＡＤＣ５３は、入力されたアナログ音声信号をデジタル音声信号に変換し、エフェクター５４（上記８種類のエフェクターのうちのエフェクト選択キー４１により選択されたエフェクター）に出力する。エフェクター５４は、入力されたデジタル音声信号に音響効果を与え（例えば、音を歪ませる等）、音響効果が与えられたデジタル音声信号（以下、エフェクト音声信号と称する）を、セレクタ５５に出力する。
【００４２】
セレクタ（制御部）５５は、エフェクター５４から入力されたエフェクト音声信号を、センタースピーカ６から出力させるか、各スピーカ７，８から出力させるか、または各スピーカ６〜８の全てから出力させるかをセレクトするものであり、アウトプット選択キー４２の操作により、出力スピーカがセレクトされる。エフェクト音声信号をセンタースピーカ６から出力することがセレクトされている場合には、エフェクト音声信号をセンター用ＤＡＣ（Ｄｉｇｉｔａｌ  Ａｎａｌｏｇ  Ｃｏｎｖｅｒｔｅｒ）５６に出力し、エフェクト音声信号を各スピーカ７，８から出力することがセレクトされている場合には、エフェクト音声信号をサイド用ＤＡＣ５７に出力する。
【００４３】
セレクタ５５には、ＣＤプレーヤ４が接続されている。ＣＤプレーヤ４は、ＣＤ２０の楽曲データを再生し、再生した楽曲データを楽曲信号（デジタル）としてセレクタ５５に出力する。セレクタ５５は、ＣＤプレーヤ４から入力された楽曲信号を、サイド用ＤＡＣ５７に出力する。
【００４４】
センター用ＤＡＣ５６は、入力されたデジタル音声信号（エフェクト音声信号）をアナログ音声信号に変換し、メインパワーアンプ５２に出力する。サイド用ＤＡＣ５７は、入力されたデジタル音声信号（エフェクト音声信号、楽曲信号）をアナログ音声信号に変換し、サイドパワーアンプ５８に出力する。
【００４５】
メインパワーアンプ５２は、アンプ５１から入力されたドライ音声信号及びセンター用ＤＡＣ５６から入力されたエフェクト音声信号を増幅した後にセンタースピーカ６に出力し、センタースピーカ６から出力させる。
【００４６】
サイドパワーアンプ５８は、サイド用ＤＡＣ５７から入力されたエフェクト音声信号及び楽曲信号を増幅した後にレフトスピーカ７及びライトスピーカ８に出力し、各スピーカ７，８から出力させる。なお、各アンプ５１，５２，５８は、スピーカボックス３の内部、または、プレーヤケース５の内部に設けられるものである。
【００４７】
ギターアンプ２を使用するときには、使用者（演奏者）は、接続ケーブル６０の一端をギター３０の出力端子に接続（挿入）し、接続ケーブル６０の他端を入力端子３１に接続（挿入）する。次に、プレーヤケース５の前面及び上面に設けられた操作部材を操作して、エフェクターの選択、エフェクト音声信号の出力先の選択、各スピーカ６〜８の音量の調整等を行う。そして、ギター３０を演奏すると、ギター３０から入力端子３１に入力されたギター音声信号は、各スピーカ６〜８から出力される（ドライ音声信号はセンタースピーカ６から出力され、エフェクト音声信号は、センタースピーカ６と各スピーカ７，８との少なくともいずれかから出力される）。ＣＤ２０を再生しながらギター３０の練習を行う場合には、トレイ２１にＣＤをセットし、各キー３５〜３８及びプレーヤケース５の上面に設けられた操作部材を操作して、ＣＤ２０を再生させる。ＣＤプレーヤ４で再生された楽曲データの楽曲信号は、各スピーカ７，８から出力される。使用者は、各スピーカ７，８から出力される楽曲信号（ＣＤ２０の再生出力音声）に合わせるようにギター３０を演奏して練習を行う。
【００４８】
なお、ＣＤプレーヤ４が録音機能を有するＣＤレコーダである場合には、ＣＤ−Ｒ／ＲＷ等の記録媒体をセットし、操作パネル３４の録音キー（図示せず）を操作することで、使用者によるギター演奏を録音することも可能である。ＣＤプレーヤ４がＣＤレコーダである場合には、ＡＤＣ５３とＣＤプレーヤ４（ＣＤレコーダ）とが接続され、入力端子３１、アンプ５１を介して入力されるギター３０からのギター音声信号は、ＡＤＣ５３でデジタル音声信号に変換されてＣＤプレーヤ４（ＣＤレコーダ）に入力され、ＣＤ−Ｒ／ＲＷ等の記録媒体に記録される。なお、エフェクター５４でエフェクトされたエフェクト音声信号をＣＤプレーヤ４（ＣＤレコーダ）に入力するようにしてもよい。
【実施例１】
【００４９】
本発明のギターアンプ２を用いて、入力端子３１に、−１０ｄＢｕのテスト信号を入力し、センタースピーカ６から出力されたセンター出力信号と、各スピーカ７，８から出力されたサイド出力信号とをマイクロフォンによりピックアップし、ミキサーを経由させて、測定器（Ａｕｄｉｏ  Ｐｒｅｃｉｓｉｏｎ）で測定する。この実験を、後面板１２を設けた状態（本発明を実施したものであり、各スピーカ６〜８の後面側を遮蔽した状態）と、後面板１２を設けていない状態（各スピーカ６〜８の後面側を開放した状態）とで行った。なお、各スピーカ６〜８の音量は、中間音量（最小音量と最大音量との中間の音量）とした。
【００５０】
この実験の結果を、図７にセンター出力信号の測定データグラフとして示し、図８にサイド出力信号の測定データグラフとして示す。図７及び図８において、後面板１２を設けた状態（各スピーカ６〜８の後面側を遮蔽した状態）の測定データを実線で示し、後面板１２を設けていない状態（各スピーカ６〜８の後面側を開放した状態）の測定データを点線で示す。
【００５１】
本実験の結果、後面板１２を設けた状態（各スピーカ６〜８の後面側を遮蔽した状態）では、後面板１２を設けていない状態（各スピーカ６〜８の後面側を開放した状態）よりも、低音域である９０Ｈｚ〜２２０Ｈｚの範囲で、約５〜６ｄＢ出力レベルが向上していることが分かった。この出力レベルの向上は、センタースピーカ６から出力されるセンター出力信号と、レフトスピーカ７及びライトスピーカ８から出力されるサイド出力信号との両方において確認することができた。
【００５２】
このように、センタースピーカ６、レフトスピーカ７及びライトスピーカ８を、スピーカボックス３の内部の同一の空間に収容したから、各スピーカ６〜８それぞれに１個ずつスピーカボックスを設けるものに比べて、各スピーカ６〜８を設けながらも、ギターアンプ２を小型化することができ、さらには、コストダウンを図ることができる。
【００５３】
また、スピーカボックス３の後面板１２により、センタースピーカ６の後面側を遮蔽するから、センタースピーカ６の後面側を開放しているものに比べて、センタースピーカ６から出力される音声の低音域出力性能を向上させる（低音域出力を強調する）ことができる。
【００５４】
さらに、スピーカボックス３の前面板１１に低音域調整孔１１ｄを設けたから、レフトスピーカ７及びライトスピーカ８から出力される音声の低音域出力性能の悪化を防止する（低音域出力の迫力不足を解消する）ことができる。これにより、楽曲信号（ＣＤ２０の再生出力音声）が聞き取り易くなり、各スピーカ７，８から出力される楽曲信号に合わせてギター３０の演奏練習を行うときに、練習し易くなる。
【００５５】
また、低音域調整孔１１ｄに、レフトスピーカ７及びライトスピーカ８から出力される低音域の出力を調整するポート１９を連通させたから、より一層確実に、各スピーカ７，８から出力される音声の低音域出力性能の悪化を防止することができる。
【００５６】
さらに、センタースピーカ６の左方にレフトスピーカ７を設け、センタースピーカ６の右方にライトスピーカ８を設けたから、小型化を図りながらも、音声をステレオ出力することができる。
【００５７】
また、ドライ音声信号（エフェクトされていない音声信号）をセンタースピーカ６から出力し、エフェクト音声信号（エフェクトされた音声信号）を、センタースピーカ６から出力するか、各スピーカ７，８から出力するか、または各スピーカ６〜８の全てから出力するかを選択できるようにしたから、使用者は、自分の好みに合わせた音声出力を楽しむことができる。
【００５８】
なお、上記実施形態では、低音域調整孔１１ｄを、レフト出力開口１１ｂ及びライト出力開口１１ｃの下方に形成したが、低音域調整孔１１ｄを形成する位置は適宜変更可能である。
【００５９】
また、上記実施形態では、前面板１１とは別個にポート１９を設けたが、ポート１９を前面板１１に一体的に形成するようにしてもよく、前面板１１を樹脂により構成した場合には、ポート１９を前面板１１に一体的に形成することができる。
【図面の簡単な説明】
【００６０】
【図１】本発明を実施したギターアンプの外観斜視図である。
【図２】スピーカボックスの分解斜視図である。
【図３】ギターアンプのセンタースピーカの部分の右側面断面図である。
【図４】ギターアンプのライトスピーカの部分の右側面断面図である。
【図５】ギターアンプの上面図である。
【図６】ギターアンプの電気的構成を示すブロック図である。
【図７】センタースピーカから出力された音声信号の特性曲線図である。
【図８】レフトスピーカ及びライトスピーカから出力された音声信号の特性曲線図である。
【符号の説明】
【００６１】
２  ギターアンプ（音声出力アンプ）
３  スピーカボックス
４  ＣＤプレーヤ（楽曲再生装置）
５  プレーヤケース
６  センタースピーカ（アンプスピーカ）
７  レフトスピーカ（楽曲スピーカ）
８  ライトスピーカ（楽曲スピーカ）
１１  前面板
１１ｄ  低音域調整孔
１９  ポート（出力調整部）
３１  接続端子（入力部）
５１  アンプ
５２  メインパワーアンプ
５４  エフェクター
５５  セレクタ（制御部）
５８  サイドパワーアンプ
【図１】
2008236406.tif 000003
【図２】
2008236406.tif 000004
【図３】
2008236406.tif 000005
【図４】
2008236406.tif 000006
【図５】
2008236406.tif 000007
【図６】
2008236406.tif 000008
【図７】
2008236406.tif 000009
【図８】
2008236406.tif 000010